(57)【要約】      （修正有）【課題】暗部を除去したバックライトアセンブリー及びこれを含む表示装置の提供。【解決手段】バックライトアセンブリー４０は、光を出射する光源４１、及び光源４１から出射された光が入射されて、当該光を案内する光の入射面１０１を含み、前記光の入射面１０１には光の拡散領域が形成される。前記光の拡散領域はマトリックス、及びマトリックスに混入されて、入射された光を拡散する拡散剤を含む。この他にも、必要に応じて、他の成分を含むことができる。【選択図】図１
2006190679.tif 000002
【特許請求の範囲】
【請求項１】
光を出射する光源、及び
前記光源から出射された光が入射されて、当該光を案内する光の入射部が形成された導光板を含み、
前記光の入射部には光の拡散領域が形成されて, 
前記導光板に形成された光の拡散領域は、高分子樹脂またはガラスからなるマトリックス、及び前記入射される光を拡散するために前記マトリックスに混入された拡散剤を含むバックライトアセンブリー。
【請求項２】
前記拡散剤は、前記導光板中に０．０１ｗｔ％乃至１０．００ｗｔ％含まれている、請求項１に記載のバックライトアセンブリー。
【請求項３】
前記拡散剤は、ポリカーボネート及びアクリル系樹脂からなる群より選択された一つ以上の素材からなる、請求項１に記載のバックライトアセンブリー。
【請求項４】
前記導光板には、前記光を導波する導波領域がさらに形成され、
前記導波領域は、前記光の進行方向において、前記光の拡散領域に続いて形成される、請求項１に記載のバックライトアセンブリー。
【請求項５】
前記導波領域は、高分子樹脂またはガラスからなる、請求項４に記載のバックライトアセンブリー。
【請求項６】
前記光源に対向する前記導光板の光の入射面に、複数の凹部及び凸部が、連続して形成されている、請求項１に記載のバックライトアセンブリー。
【請求項７】
前記光源は、発光ダイオードである、請求項１に記載のバックライトアセンブリー。
【請求項８】
前記光源は線光源であって、前記線光源は、複数の発光ダイオードが前記導光板の光の入射面に沿って平行に配列されて形成される、請求項１に記載のバックライトアセンブリー。
【請求項９】
画像を表示するパネルユニット、及び
前記パネルユニットに光を供給するバックライトアセンブリーを含み、
前記バックライトアセンブリーは、前記光を出射する光源、及び前記光源から出射された光が入射される光の入射部が形成された導光板を含み、
前記光の入射部には、光の拡散領域が形成されて、
前記導光板に形成された光の拡散領域は、高分子樹脂またはガラスからなるマトリックス、及び前記入射される光を拡散するために、前記マトリックスに混入された拡散剤を含む表示装置。
【請求項１０】
前記拡散剤は、前記導光板中に０．０１ｗｔ％乃至１０．００ｗｔ％含まれている、請求項９に記載の表示装置。
【請求項１１】
前記拡散剤は、ポリカーボネート及びアクリル系樹脂からなる群より選択された一つ以上の素材からなる、請求項１０に記載の表示装置。
【請求項１２】
前記導光板には、前記光を導波する導波領域がさらに形成され、
前記導波領域は、前記光の進行方向において、前記光の拡散領域に続いて形成される、請求項９に記載の表示装置。
【請求項１３】
前記導波領域は、高分子樹脂またはガラスからなる、請求項１２に記載の表示装置。
【請求項１４】
前記光源に対向する前記導光板の光の入射面に複数の凹部及び凸が連続形成されている、請求項９に記載の表示装置。
【請求項１５】
前記光源は、発光ダイオードである、請求項９に記載の表示装置。
【請求項１６】
前記光源は線光源であって、前記線光源は、複数の発光ダイオードが前記導光板の光の入射面に沿って平行に配列されて形成される、請求項９に記載の表示装置。
【請求項１７】
前記パネルユニットは、液晶表示パネルである、請求項９に記載の表示装置。
【請求項１８】
前記表示装置は、携帯電話用である、請求項９に記載の表示装置。
【発明の詳細な説明】
【技術分野】
【０００１】
本発明は暗部を除去したバックライトアセンブリー及びこれを含む表示装置に関し、より詳しくは、光が導光板に入射される場合に導光板に発生する暗部を除去したバックライトアセンブリー及びこれを含む表示装置に関する。
【背景技術】
【０００２】
近来になって急速に発展している半導体技術を中心にして、小型化及び軽量化されて性能がより向上した液晶表示装置の需要が爆発的に増加している。
【０００３】
近来になって脚光を浴びている液晶表示装置（ｌｉｑｕｉｄ  ｃｒｙｓｔａｌ  ｄｉｓｐｌａｙ、ＬＣＤ）は、小型化、軽量化、及び低電力消費化などの利点があるため、既存のブラウン管（ＣＲＴ、ｃａｔｈｏｄｅ  ｒａｙ  ｔｕｂｅ）の短所を克服することができる代替手段として次第に注目されつつあり、現在は、表示装置が必要なほぼ全ての情報処理機器に装着されて使用されている。
【０００４】
一般的な液晶表示装置は、液晶の特定の分子配列に電圧を印加して異なる分子配列に変換させて、この分子配列に基づき発光する液晶セルの複屈折性、旋光性、二色性、及び光散乱特性などの光学的性質の変化を視覚の変化に変換するものであって、液晶セルによる光の変調を利用して情報を表示する受光型表示装置である。
【０００５】
特に、携帯電話などに適用される中小型液晶表示装置の場合、体積は小さいが発光効率が優れており、電力消耗を最少化することができ、外部衝撃にも強い、発光ダイオードが採択されて使用されている。
【０００６】
発光ダイオードから出射された光は、導光板に入射されて案内されて、液晶表示装置に内蔵された液晶表示パネルに供給される。しかし、発光ダイオードは点光源であるので、発光ダイオードから出射された光が導光板に入射する時に導光板の光の入射部の発光ダイオードの間ごとに暗部が発生する。例えば、６０゜の光指向性を有する発光ダイオードから出射された光が空気中で、屈折率（ｎ）が１．４９のＰＭＭＡ（ｐｏｌｙｍｅｔｈｙｌ  ｍｅｔｈａｃｒｙｌａｔｅ、ポリメチルメタクリレート）材質の導光板に入射されると仮定する。この場合、光はスネルの法則によって３５．５゜程度の入射角を有しながら導光板に入射する。
【０００７】
光の入射角が狭いので、発光ダイオードの間ごとに暗部が発生して、発光効率が低下する問題点がある。したがって、液晶表示装置の周縁に暗部が発生して、全体的に画面が暗くなり、結果的に鮮明な画像を表示することができない。
【発明の開示】
【発明が解決しようとする課題】
【０００８】
本発明は、前記問題点を解決するためのものであって、暗部を除去することができるバックライトアセンブリーを提供することを目的とする。
【０００９】
また、本発明は、前記バックライトアセンブリーを含む表示装置を提供することを目的とする。
【課題を解決するための手段】
【００１０】
本発明によるバックライトアセンブリーは、光を出射する光源、及び光源から出射された光が入射されて、当該光を案内する光の入射部が形成された導光板を含み、前記光の入射部には光の拡散領域が形成されて、導光板に形成された光の拡散領域は、高分子樹脂またはガラスからなるマトリックス（ｍａｔｒｉｘ）、及び入射される光を拡散するために、前記マトリックスに混入された拡散剤を含む。
【００１１】
拡散剤は、前記導光板中に０．０１ｗｔ％乃至１０．００ｗｔ％含まれているのが好ましい。
【００１２】
拡散剤は、ポリカーボネート及びアクリル系樹脂からなる群より選択された一つ以上の素材からなるのが好ましい。
【００１３】
導光板には、光を導波する導波領域がさらに形成され、導波領域は、光の進行方向において、光の拡散領域に続いて形成されるのが好ましい。
【００１４】
導波領域は、高分子樹脂またはガラスからなるのが好ましい。
【００１５】
光源に対向する導光板の光の入射面に、複数の凹部及び凸部が、連続して形成されているのが好ましい。
【００１６】
光源は、発光ダイオードであるのが好ましい。
【００１７】
光源は線光源であって、線光源は、複数の発光ダイオードが導光板の光の入射面に沿って平行に配列されて形成されるのが好ましい。
【００１８】
本発明による表示装置は、画像を表示するパネルユニット、及びパネルユニットに光を供給するバックライトアセンブリーを含み、バックライトアセンブリーは、光を出射する光源、及び光源から出射された光が入射される光の入射部が形成された導光板を含み、前記光の入射部には、光の拡散領域が形成されて、導光板に形成された光の拡散領域は、高分子樹脂またはガラスからなるマトリックス、及び入射される光を拡散するために、前記マトリックスに混入された拡散剤を含むのが好ましい。
【００１９】
本発明による表示装置において、拡散剤は、導光板中に０．０１ｗｔ％乃至１０．００ｗｔ％含まれているのが好ましい。
【００２０】
本発明による表示装置において、拡散剤は、ポリカーボネート及びアクリル系樹脂からなる群より選択された一つ以上の素材からなるのが好ましい。
【００２１】
本発明による表示装置において、導光板には光を導波する導波領域がさらに形成され、導波領域は、光の進行方向において、光の拡散領域に続いて形成されるのが好ましい。
【００２２】
本発明による表示装置において、導波領域は、高分子樹脂またはガラスからなるのが好ましい。
【００２３】
本発明による表示装置において、光源に対向する導光板の光の入射面に、複数の凹部及び凸部が連続して形成されているのが好ましい。
【００２４】
本発明による表示装置において、光源は発光ダイオードであるのが好ましい。
【００２５】
本発明による表示装置において、光源は線光源であって、線光源は、複数の発光ダイオードが導光板の光の入射面に沿って平行に配列されて形成されるのが好ましい。
【００２６】
本発明による表示装置において、パネルユニットは液晶表示パネルであるのが好ましい。
【００２７】
本発明による表示装置は、携帯電話用であるのが好ましい。
【発明の効果】
【００２８】
本発明によれば、暗部を除去することができるバックライトアセンブリー、及び前記バックライトアセンブリーを含む表示装置を提供することができる。
【発明を実施するための最良の形態】
【００２９】
以下、図１乃至図７を参照して本発明の実施例を説明する。しかし、本発明の実施例は単に本発明を例示するためのものであり、本発明はこれに限定されない。
【００３０】
図１は携帯電話などに適用される小型液晶表示装置に使用されるバックライトアセンブリー４０を示した分解斜視図である。
【００３１】
図１に示したバックライトアセンブリー４０は、光源４１（点線で図示）、導光板１０、反射シート４６、及び光学シート４４を含む。バックライトアセンブリー４０には、ＰＳＡ（ｐｒｅｓｓｕｒｅ  ｓｅｎｓｉｔｉｖｅ  ａｄｈｅｓｉｖｅ、減圧性粘着剤）４５、モールドフレーム６２、及びボトムシャーシ６４が形成されて、バックライトアセンブリー４０を固定支持する。この他にも、必要に応じて、バックライトアセンブリー４０は他の部品を含むことができる。
【００３２】
図１に示したバックライトアセンブリー４０の構造は単に本発明を例示するためのものであり、本発明はこれに限定されない。したがって、バックライトアセンブリーの構造は他の構造に変形することもできる。
【００３３】
また、図１には、光源４１として基板４３上に実装された発光ダイオードを示したが、これは単に本発明を例示するためのものであり、本発明はこれに限定されない。したがって、発光ダイオード以外の他の形態の点光源を使用することもでき、線光源または面光源形態の光源を使用することもできる。そして、図１には３つの発光ダイオードを示したが、これは単に発光ダイオードの数を例示するためのものであり、本発明はこれに限定されない。したがって、発光ダイオードは多様な数に形成することができる。
【００３４】
光源４１から出射された光は、入射面１０１が形成された導光板１０に入射して、導光板１０によって案内される。導光板１０に案内された光は、導光板１０を通じて上部（Ｚ軸方向）に案内される。導光板１０の下部に向かう光は、導光板１０の下部に位置する反射シート４６によって再び上部に反射される。導光板１０上には複数の光学シート４４が位置して、導光板１０で案内された光の輝度を向上させて上部に供給する。光源４１は、基板４３上に実装されて、基板４３と連結された接続部４２によって外部と電気的に接続されることによって、駆動電圧の印加を受けて駆動される。
【００３５】
導光板１０及び光学シート４４は、モールドフレーム６２によって固定される。ボトムシャーシ６４は、モールドフレーム６２の下部に位置して、反射シート４６を固定する。モールドフレーム６２上にはＰＳＡ４５が付着されて、その下部に位置するバックライトアセンブリー４０の内部部品を固定する。
【００３６】
図１に示した導光板１０には光の拡散領域（Ａ）及び導波領域（Ｂ）が形成されている。光の拡散領域（Ａ）は、導光板１０の入射面１０１（入射部）を通じて入射される光を均一に拡散する。光の拡散領域（Ａ）は光の入射部に形成される。光の入射部は、光の入射面１０１から始まって導光板１０の内部空間に向かう領域である。光の拡散領域（Ａ）は、入射される光を案内することもできる。
【００３７】
光が主として進行する進行方向（Ｙ軸方向）において、光の拡散領域（Ａ）に続いて導波領域（Ｂ）が形成される。この結果、光が導光板１０全体にわたって均一に案内される。究極的には、均一に分布した光を上部に供給することができる。
【００３８】
図２は、図１に示したバックライトアセンブリー４０の全ての内部部品を結合して示した結合斜視図である。
【００３９】
図２に示した光源４１（点線で図示）から出射される光は、導光板１０を通じて案内されながら均一に拡散された後で上部（Ｚ軸方向）に供給される。したがって、バックライトアセンブリー４０の上部にパネルユニットなどを設置すれば、鮮明な画像を表示することができる。
【００４０】
図３は図２のＣＣ線に沿って切断して示した断面図である。図３は、光源４１から出射された光が導光板１０に入射されて拡散領域（Ａ）で拡散される状態を示す。
【００４１】
光源４１から出射された光は、導光板１０の拡散領域（Ａ）に入射されて矢印方向に拡散される。この結果、光が拡散領域（Ａ）の全ての部分に均一に拡散されるので、光源４１の間に位置する導光板部分に暗部が発生しない。
【００４２】
導光板１０は、光の拡散領域（Ａ）及び導波領域（Ｂ）からなる。拡散領域（Ａ）では、光源４１から導光板１０に入射した光が矢印方向に拡散される。導波領域（Ｂ）では、矢印で示してはいないが、光が導光板１０のＹ軸方向の端部まで案内される。
【００４３】
光の拡散領域（Ａ）は、マトリックス、及びマトリックスに混入されて、入射された光を拡散する拡散剤を含む。この他にも、必要に応じて、他の成分を含むことができる。基板になる母体を意味するマトリックスは、高分子樹脂またはガラスからなることができる。高分子樹脂としてはＰＭＭＡなどを例に挙げることができる。拡散剤としてはポリカーボネート及びアクリル系樹脂からなる群より一つ以上の素材を選択することができる。拡散剤は導光板１０に入射された光を拡散する役割を果たす。
【００４４】
使用する拡散剤は、導光板中に０．０１ｗｔ％乃至１０．００ｗｔ％含まれるのが好ましい。拡散剤が導光板中に０．０１ｗｔ％未満で含まれている場合には、導光板１０に入射される光の拡散率が低下する。したがって、光源４１の間に位置する導光板１０部分に暗部が発生する。一方、拡散剤が導光板中に１０．００ｗｔ％を超えて含まれている場合には、光が拡散され過ぎて導波領域（Ｂ）で光の導波が正確に行われない。そのために、バックライトアセンブリー４０の上部に均一な光を供給することができない。
【００４５】
拡散領域（Ａ）に隣接する導波領域（Ｂ）は、高分子樹脂またはガラスからなる。導波領域（Ｂ）には拡散剤を混入しない。したがって、導波領域（Ｂ）では光を別途に拡散しないで導光板１０のＹ軸方向の端部まで案内することができる。この結果、バックライトアセンブリー４０の全面にわたって均一に光を供給することができる。
【００４６】
導光板１０は、二重射出成形方法で形成することができる。まず、ＰＭＭＡなどの高分子樹脂チップを加熱して溶融状態にした後に、拡散剤を添加する。このような方法で拡散剤を高分子樹脂に均等に分布させた混合物を製造する。次に、混合物を導光板製造用金型の一方の側に注入する。このような方法で混合物を少量注入した後、溶融状態の高分子樹脂チップを導光板製造用金型に注入する。前記方法で注入完了した導光板製造用金型から導光板を取り出せば、拡散領域（Ａ）及び導波領域（Ｂ）に区分された導光板を得ることができる。
【００４７】
図３には、導光板１０の拡散領域（Ａ）及び導波領域（Ｂ）が明確に区分されることを示したが、これは単に拡散領域（Ａ）及び導波領域（Ｂ）を便宜上区分するためのものであり、本発明はこれに限定されない。したがって、拡散領域（Ａ）及び導波領域（Ｂ）は他の形態に混合されて形成されることもできる。
【００４８】
図４は、携帯電話などに使用される表示装置１００を分解して示した分解斜視図である。図４に示した表示装置１００の構造は単に本発明を例示するためのものであり、本発明はこれに限定されない。したがって、表示装置は他の構造に変形することもできる。
【００４９】
図４では、表示装置に使用されるパネルユニットとして液晶表示パネル７５を示したが、これは単に本発明を例示するためのものであり、本発明はこれに限定されない。したがって、液晶表示パネル以外の他の受光型パネルユニットを使用することもできる。
【００５０】
図４に示した表示装置は、トップシャーシ６１、液晶表示パネル７５、バックライトアセンブリー４０、及び印刷回路基板（ｐｒｉｎｔｅｄ  ｃｉｒｃｕｉｔ  ｂｏａｒｄ、ＰＣＢ）７２などを含む。液晶表示パネルアセンブリー７０は、液晶表示パネル７５、集積回路チップ（ｉｎｔｅｇｒａｔｅｄ  ｃｉｒｃｕｉｔ  ｃｈｉｐ、ＩＣｃｈｉｐ）７７、及び可撓性印刷回路基板（ｆｌｅｘｉｂｌｅ  ｐｒｉｎｔｅｄ  ｃｉｒｃｕｉｔ、ＦＰＣ）７９などを含む。バックライトアセンブリー４０は、液晶表示パネル７５に光を案内して供給し、バックライトアセンブリー４０上に位置する液晶表示パネルアセンブリー７０は、画像を表示する液晶表示パネル７５を制御する。
【００５１】
液晶表示パネル７５は、複数のＴＦＴ（ｔｈｉｎ  ｆｉｌｍ  ｔｒａｎｓｉｓｔｏｒ、薄膜トランジスタ）からなるＴＦＴパネル７３、ＴＦＴパネル７３の上部に位置するカラーフィルターパネル７１、及びこれらパネルの間に注入される液晶（図示せず）を含む。集積回路チップ７７は、ＴＦＴパネル７３上に実装されて液晶表示パネル７５を制御し、周囲に塗布された保護膜７８で保護される。
【００５２】
ＴＦＴパネル７３は、マトリックス状の薄膜トランジスタが形成されている透明なガラスパネルである。ＴＦＴパネル７３のソース端子にはデータ線が連結され、ゲート端子にはゲート線が連結されている。そして、ドレイン端子には導電性材質で透明なＩＴＯ（ｉｎｄｉｕｍ  ｔｉｎ  ｏｘｉｄｅ、インジウムスズ酸化物）からなる画素電極が形成されている。
【００５３】
液晶表示パネル７５のデータ線及びゲート線は、可撓性印刷回路基板７９に連結される。可撓性印刷回路基板７９から電気的な信号が入力されると、ＴＦＴのソース端子及びゲート端子に電気的な信号が入力され、これら電気的な信号の入力によってＴＦＴは、ターンオンまたはターンオフされる。したがって、画素の形成に必要な電気的な信号がドレイン端子に出力される。可撓性印刷回路基板７９は、印刷回路基板７２から映像信号の入力を受けて、液晶表示パネル７５のデータ線及びゲート線に各々駆動信号を印加する。
【００５４】
一方、ＴＦＴパネル７３に対向して、その上にカラーフィルターパネル７１が配置されている。カラーフィルターパネル７１は、光が通過しながら所定の色が発現される色画素であるＲＧＢ画素が薄膜工程によって形成されたパネルである。カラーフィルターパネル７１の全面にはＩＴＯからなる共通電極が塗布されている。ＴＦＴのゲート端子及びソース端子に電源が印加されてＴＦＴがターンオンされれば、画素電極とカラーフィルターパネルの共通電極との間に電界が形成される。電界によってＴＦＴパネル７３とカラーフィルターパネル７１との間に注入された液晶の配列角が変化して、変化した配列角に基づき光の透過度が変更されて、所望の画素を形成することができるようになる。
【００５５】
可撓性印刷回路基板７９は、表示装置１００を駆動するための信号であるデータ駆動信号及びゲート駆動信号を適切な時期に印加するための複数のタイミング信号を発生させて、液晶表示パネル７５のゲート線及びデータ線に各々印加する。図４には、便宜上、可撓性印刷回路基板７９が切断されていることを示したが、実際には連結されている。
【００５６】
トップシャーシ６１は、液晶表示パネル７５をバックライトアセンブリー４０上に固定する。
【００５７】
図４に示したバックライトアセンブリー７０は、暗部を発生させずに光を上部に供給するので、液晶表示パネル７５に鮮明な画像を表示することができる。特に、輝度が改善されて均一に分布した光を供給するので、液晶表示パネル７５を通じて高画質の画像を視することができる。
【００５８】
図５は、他の形態の導光板２０を含むバックライトアセンブリー６０を分解して示した分解斜視図である。
【００５９】
図５に示したバックライトアセンブリー６０は、導光板２０を除いては本発明の第１実施例によるバックライトアセンブリーとその構造が同一である。したがって、導光板２０を除く他の部分には本発明の第１実施例と同一な図面符号を使用して、便宜上、その詳細な説明は省略する。
【００６０】
導光板２０は、光源４１に対向する光の入射面２０１（入射部）に複数の凹部及び凸部が連続して形成されている。複数の凹部及び凸部は、のこぎりの歯（ｓｅｒｒａｔｉｏｎ）２０１１形態を呈する。したがって、導光板２０に入射される光を１次的に物理的に拡散することができる。１次的に拡散された光は、導光板２０の拡散領域（Ａ）を通過しながら再び２次的に拡散される。したがって、２段階を経て拡散されるので、導光板２０に暗部が全く発生しない。したがって、導光板２０の全面にわたって均一に分布した光を上部に供給することができる。
【００６１】
図６は、本発明の第３実施例によるバックライトアセンブリー８０を示す。本実施例によるバックライトアセンブリー８０は楔型であり、線光源を含む。
【００６２】
バックライトアセンブリー８０は、光源８６、光源カバー８５、導光板３０、光学シート８２、及び反射シート８９などを含む。内部部品を固定支持するために、バックライトアセンブリー８０の上部及び下部に各々上部モールドフレーム８１及び下部モールドフレーム８８を設置して、、光源８６が堅固に収納されて、外部衝撃に耐えることができるようにする。
【００６３】
光源８６は線光源であって、複数の発光ダイオード７６１を導光板３０の光の入射面に沿って平行に配列して形成する。複数の発光ダイオード７６１は、基板７６３上に実装されて、外部から印加された駆動電圧によって駆動される。複数の発光ダイオード７６１は、赤色（Ｒ）発光ダイオード、緑色（Ｇ）発光ダイオード、及び青色（Ｂ）発光ダイオードが均等に混合されて形成されている。
【００６４】
導光板３０の光の入射面側には光の拡散領域（Ａ）が形成されている。したがって、各発光ダイオードから出射される各々異なる色の光を拡散領域（Ａ）で拡散させながら混合することができる。その結果、輝度が高い白色光を得ることができる。このような方法で得られた白色光は、導光板３０の導波領域（Ｂ）を通過しながら案内される。図６には示さなかったが、導光板３０の下部にはパターンが形成されて光を上部に均一に案内する。
【００６５】
前記のように、拡散領域（Ａ）が形成された導光板３０を使用して、輝度がより向上した均一な光を得ることができる。拡散領域（Ａ）が形成された導光板３０は、線光源を含むバックライトアセンブリー８０にも適用することができる。
【００６６】
図７は、本発明の第３実施例によるバックライトアセンブリー８０を含む表示装置３００を分解して示した分解斜視図である。表示装置３００は、パネルユニットとして液晶表示パネル５０を使用する。
【００６７】
図７に示したように、液晶表示パネル５０は、ＴＦＴパネル５１、カラーフィルターパネル５３、及びこれらの間に注入される液晶（図示せず）を含む。液晶表示パネル５０の構造及び機能は、前記本発明の第１実施例の液晶表示パネル７５と同一なので、その詳細な説明は省略する。
【００６８】
ＴＦＴパネル５１上に集積回路チップ９３１、９４１を実装した駆動ＩＣパッケージ（ｄｒｉｖｅｒ  ＩＣ  ｐａｃｋａｇｅ）９３、９４を付着する。駆動ＩＣパッケージは、ＣＯＦ（ｃｈｉｐ  ｏｎ  ｆｉｌｍ）またはＴＣＰ（ｔａｐｅ  ｃａｒｒｉｅｒ  ｐａｃｋａｇｅ）などを使用することができる。印刷回路基板９２から伝送された駆動信号を駆動ＩＣパッケージ９３、９４を通じてＴＦＴパネル５１に形成されたゲート線及びデータ線に印加する。これによって液晶表示パネル５０を駆動する。
【００６９】
バックライトアセンブリー８０の下部にコントロールボード（図示せず）を設置して駆動信号を生成して、印刷回路基板９２に伝送する。液晶表示パネル５０を駆動して、バックライトアセンブリー８０から輝度が向上した均一に拡散された光を供給して、液晶表示パネル５０に鮮明な画像を表示することができる。
以上で、本発明を前記記載によって説明したが、本発明は、特許請求の範囲の概念及び範囲を逸脱しない限り、多様な修正及び変形が可能であるということが、本発明が属する技術分野に従事する者には容易に理解される。
【図面の簡単な説明】
【００７０】
【図１】本発明の第１実施例によるバックライトアセンブリーの分解斜視図である。
【図２】本発明の第１実施例によるバックライトアセンブリーの結合斜視図である。
【図３】図２のＣＣ線に沿って切断して示した断面図である。
【図４】本発明の第１実施例によるバックライトアセンブリーを含む表示装置の分解斜視図である。
【図５】本発明の第２実施例によるバックライトアセンブリーの分解斜視図である。
【図６】本発明の第３実施例によるバックライトアセンブリーの分解斜視図である。
【図７】本発明の第３実施例によるバックライトアセンブリーを含む表示装置の分解斜視図である。
【符号の説明】
【００７１】
１０，２０，３０    導光板、
１００，３００    表示装置、
１０１，２０１    入射面、
４０，６０，８０    バックライトアセンブリー、
４１，８６    光源、
４２    接続部、
４３，７６５    基板、
４４，８２    光学シート、
４６，８９    反射シート、
５０，７５    液晶表示パネル、
５１，７３    ＴＦＴパネル、
５３，７１    カラーフィルターパネル、
６１    トップシャーシ、
６２，８１，８８    モールドフレーム、
６４    ボトムシャーシ、
７０    液晶表示パネルアセンブリー、
７２，９２    印刷回路基板、
７６１    発光ダイオード、
７７，９３１，９４１    集積回路チップ、
７８    保護膜、
７９    可撓性印刷回路基板、
８５    光源カバー、
９３，９４    駆動ＩＣパッケージ、
Ａ    光の拡散領域。
【図１】
2006190679.tif 000003
【図２】
2006190679.tif 000004
【図３】
2006190679.tif 000005
【図４】
2006190679.tif 000006
【図５】
2006190679.tif 000007
【図６】
2006190679.tif 000008
【図７】
2006190679.tif 000009